(57)【要約】【課題】狭いスペースであっても場所を取らず壁面等に掛けて使用することができ、立ち姿勢で放尿することができると共に、放尿によって洋式便器の周囲に尿が飛散して不衛生になったり清掃に手間を要することもなく、放尿後直ちに尿を廃棄することができる簡易小便器を提供する。【解決手段】本発明の簡易小便器１は、取り付け板２と、取り付け板２に着脱可能に装着された放尿容器３とを備え、放尿容器３は、正面側に設けられた放尿口４と、尿廃棄用ノズル５と、放尿容器３を把持するための把持部６とを有している。【選択図】図１
2017093829.tif 000002
【特許請求の範囲】
【請求項１】
取り付け板と、該取り付け板に着脱可能に装着された放尿容器とを備え、該放尿容器は、正面側に設けられた放尿口と、尿廃棄用ノズルと、当該放尿容器を把持するための把持部とを有していることを特徴とする簡易小便器。
【請求項２】
前記尿廃棄用ノズルは、前記放尿容器の上部に設けられ上方に向かって突出している請求項１に記載の簡易小便器。
【請求項３】
前記簡易小便器は、前記放尿容器を装着するための放尿容器装着部を有し、前記放尿容器の背面は前記放尿容器装着部内に面当接している請求項１または２に記載の簡易小便器。
【発明の詳細な説明】
【技術分野】
【０００１】
本発明は、トイレの壁等に掛けて使用して好適な簡易小便器に関するものである。
【背景技術】
【０００２】
従来より、洋式便器に向かって男性が立ち姿勢で放尿し、洋式便器の周囲に尿が飛散することが不衛生で、清掃にも手間がかかるため問題があった。
男性としてはトイレ室内に男性用小便器が設置されることが望ましいが、近年の住宅事情から、洋式便器のみ設置され男性用小便器は設置されていないのが実情である。
【０００３】
そして、このような問題を解決するものとして、便器本体と、この便器本体に着脱可能に設けた容器とを備えた小便器であって、便器本体の背面が平面状又は直交する左右の側壁を備え、便器本体に壁掛手段を設けた壁掛式簡易小便器が提案されている（実用新案登録第３０５３９７３号公報）。
【０００４】
しかし、上記壁掛式簡易小便器は、基本的に便器本体に着脱可能に設けた容器内に尿が満杯に溜まると容器を取り外して尿を廃棄するものであり、尿が溜まった状態が継続するものであり、不衛生であり匂いの原因にもなっていた。また、便器本体から容器を取り外す際に、便器本体の下部開口から尿が滴下するおそれがあるため、放尿後すぐに容器を取り外して尿を廃棄できないものであった。
【先行技術文献】
【特許文献】
【０００５】
【特許文献１】実用新案登録第３０５３９７３号公報
【発明の概要】
【発明が解決しようとする課題】
【０００６】
そこで、本発明の課題は、狭いスペースであっても場所を取らず壁面等に掛けて使用することができ、立ち姿勢で放尿することができると共に、放尿によって洋式便器の周囲に尿が飛散して不衛生になったり清掃に手間を要することもなく、放尿後直ちに尿を廃棄することができる簡易小便器を提供することにある。
【課題を解決するための手段】
【０００７】
上記課題を解決するものは、取り付け板と、該取り付け板に着脱可能に装着された放尿容器とを備え、該放尿容器は、正面側に設けられた放尿口と、尿廃棄用ノズルと、当該放尿容器を把持するための把持部とを有していることを特徴とする簡易小便器である。前記尿廃棄用ノズルは、前記放尿容器の上部に設けられ上方に向かって突出していることが好ましい。前記簡易小便器は、前記放尿容器を装着するための放尿容器装着部を有し、前記放尿容器の背面は前記放尿容器装着部内に面当接していることが好ましい。
【発明の効果】
【０００８】
請求項１に記載した簡易小便器によれば、狭いスペースであっても場所を取らず壁面等に掛けて使用することができ、立ち姿勢で放尿することができると共に、放尿によって洋式便器の周囲に尿が飛散して不衛生になったり清掃に手間を要することもなく、放尿後直ちに尿を廃棄することもできる。
請求項２に記載した簡易小便器によれば、尿の廃棄に際して、放尿容器の上部を下方に向かって傾けるだけで、放尿容器内部の尿全部を残存させることなく如雨露のようにして容易に吐出させることができる。
請求項３に記載した簡易小便器によれば、放尿容器を放尿容器装着部により安定して保持させることができる。
【図面の簡単な説明】
【０００９】
【図１】本発明の簡易小便器の一実施例の斜視図である。
【図２】図１に示した簡易小便器の正面図である。
【図３】図１に示した簡易小便器の取り付け板の正面図である。
【図４】図１に示した簡易小便器の放尿容器の背面図である。
【図５】図１に示した簡易小便器の放尿容器の右側面図である。
【発明を実施するための形態】
【００１０】
本発明では、取り付け板２と、取り付け板２に着脱可能に装着された放尿容器３とを備え、放尿容器３は、正面側に設けられた放尿口４と、尿廃棄用ノズル５と、放尿容器３を把持するための把持部６とを有していることで、狭いスペースであっても場所を取らず壁面等に掛けて使用することができ、立ち姿勢で放尿することができると共に、放尿によって洋式便器の周囲に尿が飛散して不衛生になったり清掃に手間を要することもなく、放尿後直ちに尿を廃棄することができる簡易小便器１を実現した。
【実施例１】
【００１１】
本発明の簡易小便器を図１ないし図５に示した一実施例を用いて説明する。
この実施例の簡易小便器１は、取り付け板２と、取り付け板２に着脱可能に装着された放尿容器３とを備え、放尿容器３は、正面側に設けられた放尿口４と、尿廃棄用ノズル５と、放尿容器３を把持するための把持部６とを有している。以下、各構成について順次詳述する。
【００１２】
簡易小便器１は、図１または図２に示すように、取り付け板２と、取り付け板２に着脱可能に装着された放尿容器３とから構成されている。取り付け板２、放尿容器３は共に、例えばポリプロピレン、ポリカーボネート、ポリエステル、ＡＢＳ樹脂またはＦＲＰなどの軽量な合成樹脂にてそれぞれ成形されている。
【００１３】
取り付け板２は、トイレ室の壁などに垂直方向に取り付けるためのものであり、図３に示すように、上端部付近に取り付け部７を有している。具体的には、この実施例の取り付け部７は、取り付け板２の背面側に水平方向に延在するように設けられた粘着層（図示しない）とこの粘着層を背面側から被覆する剥離層（図示しない）とから構成されている。そして、トイレ室の壁などにこの取り付け板２を取り付ける場合は、剥離層を剥離して粘着層を露呈させて壁などに貼り付けることにより、取り付け板２が壁等に強固に貼り付けられるように構成されている。
【００１４】
ただし、取り付け部は上記のような構成に限定されるものでなく、トイレの壁等に取り付け可能なものであればどのようなものでもよく、例えば、面ファスナーからなるもの、或いは上端部付近に係止孔が設けられ、壁などに固定された係止部材をこの係止孔に挿入させて係止させることにより、壁などに取り付けられるものも本発明の範疇に包含される。また、本発明の簡易小便器は、トイレ室の壁に取り付けられることに限定されるものではなく、どのような場所に設置されてもよく、例えば病室の壁やベッドの横柵などに取り付けて使用してもよい。
【００１５】
取り付け板２の正面側の中央から下部にかけての部位には、放尿容器３を着脱可能に装着するための放尿容器装着部８が設けられている。この実施例の放尿容器装着部８は、正面視略円形に形成されており、放尿容器３の装着時には、この略円形内のエリアに、放尿容器３の背面３ａが面当接するように構成されている。
【００１６】
また、放尿容器装着部８の上部中央には、放尿容器３の背面３ａの上部中央に設けられたクリップ部材９（図４参照）を挿入するための長孔１０が水平方向に延在して設けられており、放尿容器３の装着時には、このクリップ部材９を長孔１０内に挿入することにより放尿容器３が放尿器装着部８に掛止装着されるように構成されている。
【００１７】
さらに、放尿容器装着部８の周囲には正面視において斜め手前側に延出するフランジ部１１が設けられており、このフランジ部１１の下部中央に設けられた顎部１１ａに、放尿容器３の底部３ｂが保持されるように構成されている。以上のように、放尿容器装着部８のこれらの構成により、放尿容器３が放尿容器装着部８に安定して装着されるように構成されている。
【００１８】
ただし、放尿容器装着部は上記のような構成に限定されるものでなく、放尿容器３を装着して放尿に際しても保持可能なものであればどのような構成でもよく、例えば、放尿容器３の背面３ａおよびそれに面当接する略円形内のエリアに面ファスナーを配したものなども本発明の範疇に包含される。
【００１９】
そして、この実施例の簡易小便器１において、放尿容器３を放尿容器装着部８から取り外す場合は、放尿容器３を把持部６にて把持して若干持ち上げることにより、長孔１０内へのクリップ部材９の挿入状態が解除されて取り外すことができるように構成されている。
【００２０】
放尿容器３は、正面側に設けられた放尿口４から放尿した後、把持部６を把持して放尿容器装着部８から取り外し、内部の尿を尿廃棄用ノズル５を介して洋式便器等へ流し入れるためのものである。
【００２１】
本発明の簡易小便器１は、このような放尿容器３に立ち姿勢で放尿することができるため、洋式便器に向かって放尿する必要がなく、放尿によって洋式便器の周囲に尿が飛散して不衛生になったり清掃に手間を要することがなく、さらに、放尿後直ちに洋式便器等へ尿を廃棄して流すことができるため極めて衛生的である。
【００２２】
より具体的には、この実施例の放尿口４は、図１または図２に示すように、放尿容器装着部８に装着された状態で正面側に向かって開口しており、放尿口４を構成する下部周縁部には、尿垂れ防止用のフランジ４ａが設けられている。そして、このフランジ４ａは放尿容器３が放尿容器装着部８に装着された状態では内側下方に向かって傾斜する傾斜面を有しており、このフランジ４ａの内面に尿が滴下すると、放尿容器３内に流れ落ちるように構成されている。
【００２３】
また、放尿容器３の内外面、特に内面には、尿の付着を防止するための撥水処理や防臭処理、滅菌処理などが公知の方法にて施されていることが好ましい。
【００２４】
尿廃棄用ノズル５は、図５に示すように、放尿容器３の最上部において斜め上方に向かって突出するように設けられており、放尿容器３の内部と連通し、内部の尿がこの尿廃棄用ノズル５から外部に流出可能に構成されている。
【００２５】
把持部６は、図２に示すように、放尿容器３の放尿口４の下部において、正面側中央に垂直方向に延在するように設けられ、水平方向から指を挿入して把持できるように構成されている。
【００２６】
このように、この実施例の放尿容器３は、図２に示すように、正面視で上方から順に、尿廃棄用ノズル５、放尿口３および把持部６が設けられていることにより、如雨露のような形態に構成されているため、放尿後、容易に、放尿容器装着部８より取り外して内部の尿を洋式便器等に廃棄できるように構成されている。
【００２７】
たたし、放尿容器は、この実施例のように、上方から順に、尿廃棄用ノズル５、放尿口３および把持部６が設けられているものに限定されず、例えば上方から順に、尿廃棄用ノズル、把持部、放尿口が設けられているものも本発明の範疇に包含される。
【００２８】
つぎに、本発明の簡易小便器１の使用方法をその作用と共に説明する。
簡易小便器１を使用するには、まず、トイレ室の壁面などの所要の高さに取り付け板２を取り付ける。具体的には、取り付け板２の背面上部付近に設けられた取り付け部７の剥離層を剥離して粘着層を露呈させ壁面等に貼り付けて、取り付け板２を壁面等に取り付ける。
【００２９】
つぎに、放尿容器３の背面３ａ上部に設けられたクリップ部材９を取り付け板２の放尿容器装着部８上部に設けられた長孔１０内に挿入して、放尿容器３を放尿容器装着部８に装着する。なお、放尿容器装着部８への放尿容器３の装着は、放尿時のみならず常時装着しておいてもよい。
【００３０】
そして、男性が放尿する場合は、立ち姿勢で放尿容器３の放尿口４内へ放尿する。これにより、尿を放尿容器３内に一時的に溜めることができる。放尿後は速やかに把持部６を把持して若干上方に持ち上げると、取り付け板２の放尿容器装着部８上部に設けられた長孔１０内から放尿容器３のクリップ部材９が抜け出して、これにより、放尿容器３の放尿容器装着部８における装着が解除される。この放尿容器３を把持した状態で洋式便器へ進み、洋式便器内に尿を尿廃棄用ノズル５を介して流し入れ、水洗にて流すことにより放尿および尿の衛生的な処理が完了する。
【００３１】
以上のように、本発明の簡易小便器１は、トイレ室の壁面などの所要の高さに取り付け板２を容易に取り付けることができるため、狭いスペースであっても場所を取らず使用することができる。また、放尿容器３に立ち姿勢で放尿することができるため、洋式便器に向かって放尿する必要がなく、放尿によって洋式便器の周囲に尿が飛散して不衛生になったり、清掃に手間を要することもなく、さらに、放尿後直ちに洋式便器等へ尿を廃棄して流すことができるため極めて衛生的に尿の処理を行うこともできる。
【符号の説明】
【００３２】
１      簡易小便器
２      取り付け板
３      放尿容器
３ａ    放尿容器の背面
３ｂ    放尿容器の底部
４      放尿口
４ａ    フランジ
５      尿廃棄用ノズル
６      把持部
７      取り付け部
８      放尿容器装着部
９      クリップ部材
１０    長孔
１１    フランジ部
１１ａ  顎部
【図１】
2017093829.tif 000003
【図２】
2017093829.tif 000004
【図３】
2017093829.tif 000005
【図４】
2017093829.tif 000006
【図５】
2017093829.tif 000007